(57)【要約】【課題】待機状態において相手ファクシミリ装置から着呼した際に、システム制御部の起動を待たずに相手ファクシミリ装置に音声メッセージを送出できるファクシミリ装置を提供する。【解決手段】ファクシミリ装置１０は、待機時にシステム制御部１１への電力供給を停止する省エネ機能を備えており、待機時に通電される着呼検出回路１３と、着呼検出回路１３の制御に基づいて電力供給を開始する電源部１４と、待機時に電力供給を停止可能な回線制御回路１２とを備える。回線制御回路１２は、電話回線２０を捕捉する回線捕捉回路１２２と、電話回線２０に音声メッセージを送出する音声メッセージ送出回路１２３とを備え、待機時に着呼検出回路１３により着呼が検出された場合、システム制御部１１の起動前に、回線捕捉回路１２２が電話回線２０を捕捉し、音声メッセージ送出回路１２３が電話回線２０に音声メッセージを送出する。【選択図】図１
2009055154.tif 000002
【特許請求の範囲】
【請求項１】
待機時にシステム制御部への電力供給を停止するファクシミリ装置であって、
待機時に通電される着呼検出回路と、該着呼検出回路の制御に基づいて該着呼検出回路以外の他の回路へ電力供給を開始する電源部と、待機時に電力供給を停止可能な回線制御回路とを備え、
前記回線制御回路は、待機時に前記着呼検出回路により着呼が検出された場合、前記システム制御部の起動前に、回線を捕捉すると共に、該回線に音声メッセージを送出することを特徴とするファクシミリ装置。
【請求項２】
待機時に前記回線制御回路に通電しておくことを特徴とする請求項１に記載のファクシミリ装置。
【請求項３】
前記回線制御回路は、前記システム制御部の状態に応じて、着呼に応答するかどうかを決定することを特徴とする請求項１又は２に記載のファクシミリ装置。
【請求項４】
前記回線制御回路は、前記システム制御部の起動までの間に受信されるファクシミリ受信データを記憶する記憶部を備え、
前記回線制御回路のみでファクシミリ受信を開始することを特徴とする請求項１又は２に記載のファクシミリ装置。
【請求項５】
前記回線制御回路がファクシミリ受信を開始するまで、前記システム制御部への電力供給を行わないことを特徴とする請求項４に記載のファクシミリ装置。
【発明の詳細な説明】
【技術分野】
【０００１】
本発明は、ファクシミリ装置、より詳細には、待機時にシステム制御部に対する電力供給を停止する省エネ機能を備えたファクシミリ装置に関する。
【背景技術】
【０００２】
従来、低消費電力化を図るために省エネ機能を備えたファクシミリ装置が知られている。例えば、特許文献１には、電話回線の状態を監視して、ファクシミリ装置本体への電力供給を制御するものが記載されている。すなわち、送信時には、必ず相手を呼び出すために、電話機をオフフックの状態とする。この状態を検出することで、自動的にファクシミリ装置本体に電力が供給される。一方、受信時には、相手側からの呼び出しを受けて、電話機をオフフックの状態とする。この状態を検出することで、自動的にファクシミリ装置本体に電力が供給される。
このようなファクシミリ装置の場合、待機時に、相手側からの呼出を受けて着呼すると、システム全体を起動させてから着呼に応答している。
【特許文献１】特開昭５７−１３８５２号公報
【発明の開示】
【発明が解決しようとする課題】
【０００３】
上記において、着呼に応答するまでの時間は短いほうがより好ましいが、ファクシミリ機能が実装される機器が大型化し、これに伴いシステム全体の起動に時間がかかるようになっているために、着呼に応答する時間が長くなっている。
【０００４】
すなわち、従来のファクシミリ装置の場合、待機時に着呼すると、システム制御部の起動を待ってから応答していたため、着呼への応答が遅くなり、受信側システムが応答する前にファクシミリ送信側が電話を切ってしまい、着信できなくなるという問題があった。
【０００５】
本発明は、上述のごとき実情に鑑みてなされたものであり、待機状態において相手ファクシミリ装置から着呼した際に、システム制御部の起動を待たずに相手ファクシミリ装置に音声メッセージを送出できるファクシミリ装置を提供すること、を目的とする。
【課題を解決するための手段】
【０００６】
上記課題を解決するために、本発明の第１の技術手段は、待機時にシステム制御部への電力供給を停止するファクシミリ装置であって、待機時に通電される着呼検出回路と、着呼検出回路の制御に基づいて着呼検出回路以外の他の回路へ電力供給を開始する電源部と、待機時に電力供給を停止可能な回線制御回路とを備え、回線制御回路は、待機時に着呼検出回路により着呼が検出された場合、システム制御部の起動前に、回線を捕捉すると共に、回線に音声メッセージを送出することを特徴としたものである。
【０００７】
第２の技術手段は、第１の技術手段において、待機時に回線制御回路に通電しておくことを特徴としたものである。
【０００８】
第３の技術手段は、第１又は第２の技術手段において、回線制御回路は、システム制御部の状態に応じて、着呼に応答するかどうかを決定することを特徴としたものである。
【０００９】
第４の技術手段は、第１又は第２の技術手段において、回線制御回路は、システム制御部の起動までの間に受信されるファクシミリ受信データを記憶する記憶部を備え、回線制御回路のみでファクシミリ受信を開始することを特徴としたものである。
【００１０】
第５の技術手段は、第４の技術手段において、回線制御回路がファクシミリ受信を開始するまで、システム制御部への電力供給を行わないことを特徴としたものである。
【発明の効果】
【００１１】
本発明によれば、システム制御部の起動時間が長い場合でも、システム制御部の起動を待たずに通信回線に音声メッセージを送出することができるため、送信側により回線を切られることを防ぐことができる。
【発明を実施するための最良の形態】
【００１２】
以下、添付図面を参照しながら、本発明に係るファクシミリ装置の好適な実施の形態について説明する。
【００１３】
図１は、本発明に係るファクシミリ装置の構成例を示すブロック図で、図中、１０はファクシミリ装置、２０は電話回線を示す。ファクシミリ装置１０は、電話回線２０を介して相手ファクシミリ装置（図示せず）とファクシミリ通信可能とする。
ファクシミリ装置１０は、ファクシミリ装置１０の動作全体を制御するシステム制御部１１と、電話回線２０の回線制御を行う回線制御回路１２と、電話回線２０からの着呼を検出する着呼検出回路１３と、各回路へ電力を供給する電源部１４と、ユーザ操作のための操作キー等を備えた操作パネル１５とから構成されている。さらに、システム制御部１１は、ＣＰＵ１１１、受信メモリ１１２を備え、回線制御回路１２は、ＣＰＵ１２１、回線捕捉回路１２２、音声メッセージ送出回路１２３、及びモデム１２４を備える。
【００１４】
図１において、消費電力を抑えるため待機状態になった時点で、システム制御部１１は電源部１４に停止信号を送り、電源部１４はシステム制御部１１及び回線制御回路１２に対する給電を停止する。
待機状態からの復帰は常時通電されている着呼検出回路１３及び操作パネル１５からの起動信号が電源部１４に送られ、電源部１４はシステム制御部１１及び回線制御回路１２への通電を再開する。
【００１５】
電話回線２０からの着呼が行われた場合、電源部１４は着呼検出回路１３からの起動信号により、システム制御部１１と回線制御回路１２に同時に給電を開始するが、システム制御部１１の起動（初期化動作）に時間がかかるため、回線制御回路１２が先に動作可能となる。
回線制御回路１２が起動した際、ＣＰＵ１２１が着呼検出回路１３の検出信号を確認し、起動要因が着呼であった場合には、回線捕捉回路１２２により回線を捕捉し、音声メッセージ送出回路１２３より音声メッセージを電話回線２０に送出する。この音声メッセージは、着呼への応答前に、ファクシミリを送信してきた相手が回線を切ってしまわないようにするためのもので、例えば、「回線接続中です。回線を切らずにお待ち下さい。」などのメッセージであればよい。
【００１６】
そして、システム制御部１１が起動し、ファクシミリ受信が可能になった時点で、システム制御部１１のＣＰＵ１１１は、回線制御回路１２のＣＰＵ１２１に制御信号を送る。制御信号を受け取ったＣＰＵ１２１は、音声メッセージ送出回路１２３からの音声メッセージ送出を停止させる。
【００１７】
システム制御部１１は、続いてファクシミリ受信処理を開始し、モデム１２４よりファクシミリ受信用の信号を電話回線２０に送出する。その後の動作は、通常時のファクシミリ受信と共通である。
【００１８】
すなわち、ファクシミリ装置１０は、待機時にシステム制御部１１への電力供給を停止する省エネ機能を備えており、待機時に通電される着呼検出回路１３と、着呼検出回路１３の制御に基づいて着呼検出回路１３以外の他の回路へ電力供給を開始する電源部１４と、待機時に電力供給を停止可能な回線制御回路１２とを備える。回線制御回路１２は、電話回線２０を捕捉する回線捕捉回路１２２と、電話回線２０に音声メッセージを送出する音声メッセージ送出回路１２３とを備え、待機時に着呼検出回路１３により着呼が検出された場合、システム制御部１１の起動前に、回線捕捉回路１２２が電話回線２０を捕捉し、音声メッセージ送出回路１２３が電話回線２０に音声メッセージを送出する。
【００１９】
なお、回線制御回路１２は待機時に通電状態であっても非通電状態であってもよい。この待機時における通電／非通電の設定はユーザが行ってもよいし、工場出荷時等に予めメーカ設定しておいてもよい。
【００２０】
このように構成することで、システム制御部の起動時間が長い場合でも、システム制御部の起動を待たずに通信回線に音声メッセージを送出することができるため、送信側により回線を切られることを防ぐことができる。
【００２１】
図２は、音声メッセージの出力をモデム１２４で行う場合の回線制御回路１２の構成例を示すブロック図である。回線制御回路１２は、ＣＰＵ１２１、回線捕捉回路１２２、モデム１２４、及びフラッシュメモリ１２５を備える。本例では、音声メッセージ送出回路１２３の代わりに、モデム１２４が音声送出機能を備える（以下の図３〜図５についても同様とする）。また、ここでは回線制御回路１２への電力供給を停止しているが、回線制御回路１２を常時通電することも可能である。
【００２２】
図３は、常時通電にする場合の回線制御回路１２の構成例を示すブロック図である。回線制御回路１２は、ＣＰＵ１２１、回線捕捉回路１２２、モデム１２４、及びＤＲＡＭ１２６を備える。本例の場合、回線制御回路１２が常時通電され、電源部１４に対する起動信号は着呼検出回路１３の代わりに回線制御回路１２から出すようにしてもよい。電源部１４は、この起動信号を受けて、システム制御部１１に電力を供給する。
【００２３】
着呼検出回路は不要なシステム起動を避けるために、ノイズ等による誤検出を行わないことが求められる。しかし、ノイズを除去し、着呼を正確に検出するためには、ある程度のアルゴリズムに基づく処理が必要で、着呼検出回路のみで実施するには回路が大型化してしまう。そこで、回線制御回路に常時通電することで、着呼検出を正確に行うことができ、システム制御部の不要な起動を防止する効果がある。また、可変の音声メッセージを回路内に記憶する場合、安価なＤＲＡＭを使用することが可能となり、コストの点でメリットがある。
【００２４】
図４は、システム制御部１１の状態に応じて着呼を行わない場合の回線制御回路１２の構成例を示すブロック図である。回線制御回路１２は、ＣＰＵ１２１、回線捕捉回路１２２、モデム１２４、及び不揮発性メモリ１２７を備える。本例の場合、回線制御回路１２は、システム制御部１１の状態に応じて、着呼に応答するかどうかを決定する。待機状態への移行時、システム制御部１１への電力供給を停止する前に、システム制御部１１の状態（例えば、メモリ残量など）を回線制御回路１２に送り、回線制御回路１２内の不揮発性メモリ１２７に記憶する。
【００２５】
このように構成することで、システム制御部のメモリ残量が少ないなどの理由により、ファクシミリ受信を行えない場合に、着呼に応答しないことで相手側の電話を不用意に受けることを防止する効果がある。
【００２６】
図５は、ファクシミリ受信を行う場合の回線制御回路１２の構成例を示すブロック図である。回線制御回路１２は、ＣＰＵ１２１、回線捕捉回路１２２、モデム１２４、及び一時受信用メモリ１２８を備える。本例の場合、回線制御回路１２がファクシミリ受信機能を備え、さらに、システム制御部１１の起動までの間に受信されるファクシミリ受信データを記憶しておく記憶部に相当する一時受信用メモリ１２８を備える。この一時受信用メモリ１２８は、システム制御部１１の起動までの間、ファクシミリ受信に対応できるだけの記憶容量を有する。
【００２７】
このような構成にすることで、回線制御回路単体でファクシミリ受信を行うことができるため、ファクシミリ通信を短時間で終了させ、送信側の回線使用時間を短縮する効果がある。
【００２８】
また、回線制御回路１２がファクシミリ受信を開始するまで、システム制御部１１への電力供給を行わないようにしてもよい。すなわち、回線制御回路１２がファクシミリ受信を開始した時点で、システム制御部１１への電力供給を開始する。
このように構成することで、ファクシミリの受信開始までシステム制御部へ電力が供給されないため、ファクシミリ受信できなかった場合にはシステム制御部が起動されることがなく、不要な電力消費を防止することができる。
【００２９】
なお、図２から図５において、それぞれフラッシュメモリ、ＤＲＡＭ、不揮発性メモリ、一時受信用メモリを例示しているが、これらに限定されるものではなく、各種メモリを適用できることは言うまでもない。
【００３０】
図６は、起動時の回線制御回路１２の動作例を説明するためのフロー図である。
まず、回線制御回路１２は、起動時に、着呼検出回路１３の検出信号を確認し、着呼が検出されたかどうかを判定し（ステップＳ１）、着呼が検出されない場合（ＮＯの場合）、システム制御部１１が起動したかどうかを判定する（ステップＳ２）。システム制御部１１が起動していない場合（ＮＯの場合）、ステップＳ１に戻り、着呼の検出を判定する。また、ステップＳ２において、システム制御部１１が起動した場合（ＹＥＳの場合）、回線を捕捉することなく、システム制御部１１の制御に移行する（ステップＳ３）。
【００３１】
一方、ステップＳ１において、着呼が検出された場合（ＹＥＳの場合）、回線制御回路１２は、オフフック処理を行い（ステップＳ４）、音声メッセージの送出を行う（ステップＳ５）。なお、着呼による起動でない場合でも、システム制御部１１の起動前に着呼が検出された場合にも同じ動作となる。
【００３２】
次に、回線制御回路１２は、システム制御部１１が起動してファクシミリ受信が可能になったかどうかを判定し（ステップＳ６）、システム制御部１１が起動していない場合（ＮＯの場合）、ステップＳ６でシステム制御部１１の起動を判定する。一方、ステップＳ６において、システム制御部１１が起動してファクシミリ受信が可能になった場合（ＹＥＳの場合）、回線制御回路１２は音声メッセージの送出を停止し（ステップＳ７）、システム制御部１１の制御に移行し（ステップＳ８）、回線制御回路１２単体での制御は終了する。なお、システム制御部１１の状態に応じて着呼に応答するかどうか決定する処理を実行する場合、ステップＳ１の着呼判定を行う際に、図４に示した不揮発性メモリ１２７に格納されているシステム情報（メモリ残量など）より、着呼に対する応答が可能か否かを判定すればよい。
【００３３】
図７は、起動時のシステム制御部１１の動作例を説明するためのフロー図である。
まず、システム制御部１１は、起動時に、回線を捕捉中かどうか判定し（ステップＳ１１）、システム制御部１１の起動前に回線が捕捉されていた場合（ＹＥＳの場合）、着呼していると判断されるのでファクシミリ受信処理を行う（ステップＳ１３）。また、ステップＳ１１において、回線を捕捉していない場合（ＮＯの場合）、着呼がないため通常の起動処理を行う（ステップＳ１２）。なお、操作パネルからの起動、電源投入時、停電からの復帰などが着呼無しの起動条件となる。
【００３４】
図８は、回線制御回路１２でファクシミリ受信を行う場合のシステム制御部１１の動作例を説明するためのフロー図である。なお、回線制御回路１２は前述の図５に示した構成として説明する。
まず、回線制御回路１２は、起動時に、着呼検出回路１３の検出信号を確認し、着呼が検出されたかどうかを判定し（ステップＳ２１）、着呼が検出されない場合（ＮＯの場合）、システム制御部１１が起動したかどうかを判定する（ステップＳ２２）。システム制御部１１が起動していない場合（ＮＯの場合）、ステップＳ２１に戻り、着呼の検出を判定する。また、ステップＳ２２において、システム制御部１１が起動した場合（ＹＥＳの場合）、回線を捕捉することなく、システム制御部１１の制御に移行する（ステップＳ２３）。
【００３５】
一方、ステップＳ２１において、着呼が検出された場合（ＹＥＳの場合）、回線制御回路１２は、ファクシミリ受信を開始し（ステップＳ２４）、ファクシミリ受信データを回線制御回路１２内の一時受信用メモリ１２８に格納する（ステップＳ２５）。なお、着呼による起動でない場合でも、システム制御部１１の起動前に着呼が検出された場合にも同じ動作となる。
【００３６】
次に、回線制御回路１２は、１ページ分のファクシミリ受信が完了したかどうか判定し（ステップＳ２６）、１ページ分の受信が完了していない場合（ＮＯの場合）、ステップＳ２５に戻り処理を繰り返す。また、ステップＳ２６において、１ページ分の受信が完了した場合（ＹＥＳの場合）、システム制御部１１が起動しているかどうか判定する（ステップＳ２７）。システム制御部１１が起動していない場合（ＮＯの場合）、ステップＳ２５に戻り処理を繰り返す。また、ステップＳ２７において、システム制御部１１が起動していた場合（ＹＥＳの場合）、ファクシミリ受信データの格納先をシステム側の受信メモリに切り替える（ステップＳ２８）。
【００３７】
次に、回線制御回路１２は、ファクシミリ受信が終了したかどうか判定し（ステップＳ２９）、ファクシミリ受信が終了していない場合（ＮＯの場合）、ステップＳ２８に戻り処理を繰り返す。また、ステップＳ２９において、ファクシミリ受信が終了した場合（ＹＥＳの場合）、一時受信用メモリ１２８内のファクシミリ受信データをシステム側の受信メモリに移動する（ステップＳ３０）。なお、回線制御回路１２がファクシミリ受信するまで、システム制御部１１への電力供給を行わない、すなわち、回線制御回路１２がファクシミリ受信を開始した時点でシステム制御部１１へ電力供給を行うためには、ステップＳ２４のファクシミリ受信開始時に、電源部１４に対して起動信号を送ればよい。この起動信号により、システム制御部１１への電力供給が開始される。
【図面の簡単な説明】
【００３８】
【図１】本発明に係るファクシミリ装置の構成例を示すブロック図である。
【図２】音声メッセージの出力をモデムで行う場合の回線制御回路の構成例を示すブロック図である。
【図３】常時通電にする場合の回線制御回路の構成例を示すブロック図である。
【図４】システム制御部の状態に応じて着呼を行わない場合の回線制御回路の構成例を示すブロック図である。
【図５】ファクシミリ受信を行う場合の回線制御回路の構成例を示すブロック図である。
【図６】起動時の回線制御回路の動作例を説明するためのフロー図である。
【図７】起動時のシステム制御部の動作例を説明するためのフロー図である。
【図８】回線制御回路でファクシミリ受信を行う場合のシステム制御部の動作例を説明するためのフロー図である。
【符号の説明】
【００３９】
１０…ファクシミリ装置、１１…システム制御部、１２…回線制御回路、１３…着呼検出回路、１４…電源部、１５…操作パネル、２０…電話回線、１１１，１２１…ＣＰＵ、１１２…受信メモリ、１２２…回線捕捉回路、１２３…音声メッセージ送出回路、１２４…モデム、１２５…フラッシュメモリ、１２６…ＤＲＡＭ、１２７…不揮発性メモリ、１２８…一時受信用メモリ。
【図１】
2009055154.tif 000003
【図２】
2009055154.tif 000004
【図３】
2009055154.tif 000005
【図４】
2009055154.tif 000006
【図５】
2009055154.tif 000007
【図６】
2009055154.tif 000008
【図７】
2009055154.tif 000009
【図８】
2009055154.tif 000010